(57)【要約】【課題】単に貫通孔からの放射光のみならず、ランプシェードそのものからのわずかな放射透光と、ランプシェードの周壁に埋設したガラス粒子の透光や反射光とにより側方に配した投影面体に微妙な投影光を投影すると共に、ランプシェード自体からの光の放射形態をも楽しめて単なる無機質な感触に有機質的な光のオブジェを周辺に形成できるようにすることにより、鑑賞者にさらなる美感を生起させる照明装置を提供する。【解決手段】中空状のランプシェードと、発光体と、基台を備える照明装置において、前記ランプシェードは中空器体にて形成すると共に、多数の投光孔を周壁面外面に形成し、しかも、ランプシェードの外表面の所定位置には外表面を多面体にカットしたガラス粒子を配設し、ランプシェードの側方に配した投影面体に中空器体の周壁面から放射された所定模様の投光像を投影可能に構成した。【選択図】図２０
2016021388.tif 000002
【特許請求の範囲】
【請求項１】
一定形状とした中空状のランプシェードと、ランプシェード内に設置する発光体と、前記発光体を立設する基台を備える照明装置において、
前記ランプシェードは中空器体にて形成すると共に、多数の投光孔を周壁面外面に形成し、
しかも、ランプシェードの外表面の所定位置には外表面を多面体にカットしたガラス粒子を配設し、ランプシェードの側方に配した投影面体に中空器体の周壁面から放射された所定模様の投光像を投影可能に構成した照明装置。
【請求項２】
ガラス粒子は透明なスワロフスキー粒子や透明な透光性ビーズやダイヤモンド粒子等である請求項１に記載の照明装置。
【請求項３】
ガラス粒子及び／又はランプシェードには色彩を施した請求項１及び２に記載の照明装置。
【請求項４】
ガラス粒子はランプシェード表面に形成した凹部へ埋設した請求項１〜３の何れか１項に記載の照明装置。
【請求項５】
ガラス粒子は周壁面に形成した所定の投光孔内にも埋設した請求項１〜４の何れか１項に記載の照明装置。
【請求項６】
ガラス粒子は投光孔の周辺のランプシェード表面に貼着した請求項１〜３の何れか１項に記載の照明装置。
【請求項７】
ランプシェード表面に形成したガラス粒子埋設のための凹部は内底面がランプシェードの内部空間と連通しているか又は、透光性薄膜とした請求項１〜４の何れか１項に記載の照明装置。
【請求項８】
中空器体は発光体の発光時に半透光性となる陶磁器とした請求項１〜７の何れか１項に記載の照明装置。
【発明の詳細な説明】
【技術分野】
【０００１】
照明装置に関する。
【背景技術】
【０００２】
従来、照明装置として、陶器や磁器、プラスチック等の素材で笠形状や覆い形状に形成したシェードの表面に複数の貫通孔を設け、同シェード内にランプを光源として設置し、同ランプから放射された光を前記貫通孔に透光させることで、光を発するような設置型の照明装置が知られている。
【０００３】
このような照明装置は、陶器製のシェードに設けた複数の貫通孔から、ランプのフェラメント形状の模様による投影像を、前記シェードのさらに外方に配設した球状のグローブに投影し、この投影像を観賞したり、また、複数の貫通孔で装飾模様が形成されている場合には光が透射されると貫通孔を直視して観賞することで楽しむものであった（例えば、特許文献１参照）。
【特許文献１】実開平６−５８５０９号公報
【発明の概要】
【発明が解決しようとする課題】
【０００４】
しかしながら、上述した陶器製の照明装置は、複数の貫通孔から放射された透光を周辺の壁面に大きく投影するものでなく、仮に投影した場合であっても、壁面に単純な光の模様が映し出されるのみで、未だ十分な趣向が凝らされているとは言い難いものであった。
【０００５】
すなわち、透光により投影された光の造形が単純であるため、観賞して楽しむことができるものではなかった。
【０００６】
本発明は、斯かる事情に鑑みたものであって、単に貫通孔からの放射光のみならず、ランプシェードそのものからのわずかな放射透光と、ランプシェードの周壁に埋設したガラス粒子の透光や反射光とにより側方に配した投影面体に微妙な投影光を投影すると共に、ランプシェード自体からの光の放射形態をも楽しめて単なる無機質な感触に有機質的な光のオブジェを周辺に形成できるようにすることにより、鑑賞者にさらなる美感を生起させることのできる照明装置を提供する。
【課題を解決するための手段】
【０００７】
請求項１に記載の発明は、一定形状とした中空状のランプシェードと、ランプシェード内に設置する発光体と、前記発光体を立設する基台を備える照明装置において、前記ランプシェードは中空器体にて形成すると共に、多数の投光孔を周壁面外面に形成し、しかも、ランプシェードの外表面の所定位置には外表面を多面体にカットしたガラス粒子を配設し、ランプシェードの側方に配した投影面体に中空器体の周壁面から放射された所定模様の投光像を投影可能に構成したことを特徴とする。
【０００８】
請求項２に記載の発明は、ガラス粒子は透明なスワロフスキー粒子や透明な透光性ビーズやダイヤモンド粒子等であることを特徴とする。なお、スワロフスキーは登録商標である。
【０００９】
請求項３に記載の発明は、ガラス粒子及び／又はランプシェードには色彩を施したことを特徴とする。
【００１０】
請求項４に記載の発明は、ガラス粒子はランプシェード表面に形成した凹部へ埋設したことを特徴とする。
【００１１】
請求項５に記載の発明は、ガラス粒子は周壁面に形成した所定の投光孔内としての断面Ｖ字形状の条溝中にも埋設したことを特徴とする。
【００１２】
請求項６に記載の発明は、ガラス粒子は投光孔の周辺のランプシェード表面に貼着したことを特徴とする。
【００１３】
請求項７に記載の発明は、ランプシェード表面に形成したガラス粒子埋設のための凹部は内底面がランプシェードの内部空間と連通しているか又は、透光性薄膜としたことを特徴とする。
【００１４】
請求項８に記載の発明は、中空器体は発光体の発光時に半透光性となる陶磁器としたことを特徴とする。
【発明の効果】
【００１５】
請求項１の発明によれば、ランプシェードを用いて側方の投影面体に多数の投光孔を形成したことによりランプシェード本体からの漏光と共に投光孔から所定の投影光が側方の投影面体に投影されることに加えて、外表面を多面体にカットしたガラス粒子からも内部からの光が透光して乱反射により拡散した乱光が投影面体に投影され複雑に投影光が重なった光のオブジェを形成し、看者に光の錯覚の楽しさを倍増することができる。
投光孔からは、発光体の発光形態に類した投影光を放射すると共に、ガラス粒子からは多数のカット面から投影光の縮尺した形態になった多数の発光映像を放射し、ランプシェードの側方に配した投影面体に種々の大きさの投影光を投影することができる。
従来、投光孔の大きさでしか投影光の映像の大きさを調節できなかったものを本発明のガラス粒子を用いることによりガラス粒子表面のカット面の数だけ、しかもガラス粒子表面のカット面の大きさに対応した映像として微小な縮尺された投影光を形成することができる。
特に、中空器体の内部に連通するように穿設した投光孔に埋設したガラス粒子のカット面に対応して、発光体の発光形態に類似した投影光を微小な縮尺形態で側方に配した投影面体に投影することができる。
他方、ランプシェードの中空器体の壁面全体から漏光する淡い光と、投光孔からの模様的な光と、中空器体のガラス粒子から乱光拡散される光、特にガラス粒子のカットの仕方やカット数によって乱反射光がダイヤモンド風の輝きとなって発散し、ランプシェードの全体的な光のオブジェにガラス粒子からの乱光が重なり、無機質的なランプシェードの光造形に加えて有機質的な光のオブジェを形成することになる。従って、ランプシェードにより側方の投影面体に投影する投影光もさることながらランプシェードの周壁からの光を複雑に発散する発光装飾品としも観賞することが出来る効果がある。このように、中空器体全体から浸潤する淡い光線と、周壁面の投光孔からの直接的な光の投影と、ガラス粒子からの輝度を増幅した乱光等により幾多の光の重なりオブジェが形成されて、従来にないランプシェードの装飾的透光機能を増大することができ、光観賞の楽しさを格段に向上することができる効果がある。
【００１６】
請求項２の発明によれば、特に透明なスワロフスキー粒子やダイヤモンド粒子を用いることにより光の拡散機能が一段と向上し、特に粒子のカットが複雑な分乱光機能が向上して一段と乱光輝度を目立つように拡大することができる。特にスワロフスキー粒子は、身の回りの携帯用品の表面に付着させて光反射による装飾機能を向上するものとして使用されていたが、本発明ではそもそもランプシェードとして光の造形を創造する機能のものに、更にスワロフスキー粒子独自の光高反射性機能を付加さえることにより、従来のランプシェードの光造形に加えてスワロフスキー粒子からの乱反射光がその配設位置や配設形態によって意外な光造形を作るということを発見した。このスワロフスキー粒子独自の乱反射光により、従来のランプシェードにはない光造形芸術を創造することが可能となった。
【００１７】
請求項３の発明によれば、ガラス粒子に色彩を施すことにより光に着色して更なる光のオブジェのバリエーションを形成することができる効果がある。また、ランプシェードに色彩を施すことによりガラス粒子が放つ光がランプシェードの色彩と組み合されてランプシェードの表面を美しく効果的に浮かび上がらせることができる。さらに、ランプシェードとガラス粒子の両方に色彩を施すことによりガラス粒子が放つ色彩光がランプシェードの色彩と相俟って色彩光のグラデーションをランプシェード表面やランプシェード周囲の投影面体に形成することができる効果がある。
【００１８】
請求項４の発明によれば、ガラス粒子を凹部に埋設するために、凹部の内底面からの淡い光を拡散することができることになり、より複雑な、かつ所定以上の輝度を保有したガラス粒子からの光を形成することができる効果がある。
【００１９】
請求項５の発明によれば、ガラス粒子を条溝にも埋設するために、光源からの光が凹部の内底面から漏れ出し、この淡い光に加えて条溝からの光もガラス粒子内に入射し、これら入射した光をガラス粒子表面から拡散することができることになり、より複雑な、かつ所定以上の輝度を保有したガラス粒子からの光を形成することができる効果がある。
【００２０】
請求項６の発明によれば、ガラス粒子は投光孔の周辺のランプシェード表面に貼着したので、光源からの光が凹部の内底面から漏れ出し、この淡い光がガラス粒子内に入射し、この入射した光がガラス粒子表面から拡散することができることになり、より複雑な、かつ所定以上の輝度を保有したガラス粒子からの光を形成することができる効果がある。
【００２１】
請求項７の発明によれば、ランプシェード周壁の凹部内底面がランプシェード内部空間と連通しているため、直接的に内部光源からの光を乱反射してより輝度の高い光をガラス粒子から拡散できる効果を有する。
【００２２】
請求項８の発明によれば、中空器体は凹部内底面が透光性薄膜、すなわち陶磁器素材の薄膜形成状態としている場合には、上記の直接的光ではなく透光性薄膜を介してガラス粒子から光の拡散を行うため、乱反射の光が淡くなるもののランプシェード周壁からの漏光よりは強い輝度を有した光が淡い光の中でアクセント的な機能を果たして光の変化を楽しむことができる効果がある。
【図面の簡単な説明】
【００２３】
【図１】照明装置の正面図
【図２】図１のＡ−Ａ線断面図
【図３】照明装置を示す底面図
【図４】照明装置の要部を示す断面図。
【図５】単体の投光孔よりの投影を説明する構成図
【図６】２つの投光孔よりの投影を説明する構成図
【図７】投光孔の断面図
【図８】（ａ）は照明装置の要部を示す平面図（ｂ）は図８（ａ）のＢ−Ｂ線断面図
【図９】照明装置を示す正面図
【図１０】照明装置の点灯状態示す斜視図
【図１１】ランプシェードの凹部にガラス粒子を貼着した第１形態を示す断面図
【図１２】（ａ）ガラス粒子の正面図（ｂ）ガラス粒子の平面図（ｃ）ガラス粒子の底面図
【図１３】（ａ）ガラス粒子の斜視図（ｂ）ガラス粒子の斜視図
【図１４】ガラス粒子のカット面より放射した投影像を表わした図
【図１５】ランプシェードの凹部にガラス粒子を貼着した第２形態を示す断面図
【図１６】ランプシェードの凹部にガラス粒子を貼着した第３形態を示す断面図
【図１７】ランプシェードの凹部にガラス粒子を貼着した第４形態を示す断面図
【図１８】（ａ）他のガラス粒子の正面図（ｂ）他のガラス粒子の平面図（ｃ）他のガラス粒子の斜視図
【図１９】単体の投光孔よりの光が他のガラス粒子に入射する状態を説明する構成図
【図２０】照明装置を示す正面図
【図２１】照明装置を示す背面図
【図２２】照明装置の点灯状態を示す斜視図
【図２３】照明装置を示す正面図
【図２４】ランプシェードの凹部にガラス粒子を貼着した第５形態を示す正面図
【図２５】図２４のＡ−Ａ断面図
【図２６】ランプシェードの凹部にガラス粒子を貼着した第６形態を示す断面図
【図２７】照明装置を示す正面図
【図２８】ランプシェードの凹部にガラス粒子を貼着した第７形態を示す正面図
【図２９】図２８のＢ−Ｂ断面図
【図３０】照明装置の点灯状態を示す断面図
【発明を実施するための形態】
【００２４】
この発明の実施例を図面に基づき詳説する。
ランプシェードの形状は内部が中空であれば特に限定されるものではなく、例えば、笠形状、半球形状（ドーム形状）、砲弾形状（ロケット形状）、球形状、多角錐形状等、使用者の用途に合わせて適宜選択することができる。
【００２５】
また、ランプシェードを形成する素材については、光源から発せられる熱に耐性を有すると共に淡い光を漏光する素材、例えば釉薬を施さない陶磁器、プラスチック製、金属製、植物性素材（竹製や木製）、や鉱物性素材、ガラス、粘土等であってもよい。
【００２６】
ランプシェードの素材がプラスチック製或いは金属製の場合には、金型に融解したプラスチック或いは金属を流し込むことで、短時間で成形することができ、量産も行いやすい効果がある。
【００２７】
次に、ランプシェードの素材が植物性素材（竹製や木製）或いは鉱物性素材の場合には、植物性素材、例えば、木製の部材を切削するため時間がかかるものの、木目を生かしたランプシェードを形成することができる。また、鉱物性素材、例えば、石材の部材を切削し形成することで、石材の材質を生かしたランプシェードを形成することができる。
【００２８】
以下の説明では、釉薬を施さない陶磁器でランプシェードを形成した場合を例に挙げており、その製造工程は一般的な陶磁器の製法と同様であって、粘土を所定の中空器体に形成し、さらに複数の投光孔や星型の孔、三日月型の孔を形成して、乾燥して、その後、複数回の焼き工程を経て、陶磁器製のランプシェードが完成することとなる。
【００２９】
発光体は、光を放射する光源であればあらゆるものを使用することができ、例えば、白熱球、蛍光灯、ＬＥＤ（発光ダイオード）、有機ＥＬ、無機ＥＬ等とすることができる。
【００３０】
ランプシェードの周壁面には、光源からの光を透過させるための投光孔を穿設している。この投光孔は、円孔、細長孔、星型状孔、三日月型状孔、花弁状孔としているため、側方の投影面体に各孔に応じた投影光を投影することができる。
【００３１】
しかも、これらの投光孔を多数穿設しているため、側方の投影面体に投影された投影光群は、あたかも天の川や銀河を思わせるような美しい映像を投影することができるのである。
【００３２】
特に、ランプシェードの周壁面に頂部から下方へ曲線を描くように投光孔群を形成することにより、側方の投影面体、例えば壁面に投影された投影光群を絵画的な天の川形態とすることができる。但し、この投光孔群を形成する場合において、ランプシェード表面における投光孔同士の間隔は、２〜８ｍｍの範囲内で形成するのが望ましい。２ｍｍを下回ると、壁面に投影された投影光同士が過度に重複して単一の投光孔から放射された投影光が見えづらくなり、また、８ｍｍを上回ると単一の投光孔から放射された投影光が独立しすぎて、絵画のような天の川状の投影を行うことができなくなるおそれがある。
【００３３】
また、これらの投光孔の内周面は、ランプシェードの外方に下向きの下り勾配を設けて形成しても良い。すなわち、照明装置を配設した床面に軸線を向けた投光孔を設けることで、床面に投影光を投影することができる。
【００３４】
投光孔の内周面は、ランプシェードの外方に向かって拡開状のテーパーに形成しても良い。このような構成とすることにより、投光孔の絞りを開いた状態とすることができ、投影光の周縁部が淡くなるいわゆる「にじみ」の効果を生起させることができる。
【００３５】
一方で、投光孔の内周面は、前記ランプシェードの内方に向かって拡開状のテーパーに形成しても良い。このような構成とすることにより、投光孔の絞りを絞った状態とすることができ、投光孔の周縁部をシャープにして、投影光をくっきりと見せることができる。
【００３６】
なお、これらの投光孔の内壁面には、光源からの光を反射する反射材としてガラス粒子を設けるようにしても良い。すなわち、光源から発せられる光の放射方向と、投光孔の軸線方向とが異なる場合であっても、投光孔の内壁面に反射材を配設することにより、投光孔を通過する光を効率的にランプシェードの外方へ導くことができる。また、投光孔内で光を乱反射させて、投影される投影光をより複雑な形状とし、さらに美しい投影光とすることができる。
かかる技術の発展的なものとして本発明ではガラス粒子をランプシェードの投光孔内部に埋設する技術を援用した。
【００３７】
このガラス粒子は、光源からの光を反射できる素材であれば特に限定されるものではなく、例えば、後述するスワロフスキー粒子やダイヤモンド粒子等、白色の塗料や、金属、石英粉末等とすることができる。また、これらに着色を施して、投影光に色彩を表現するようにしても良い。
【００３８】
本発明に係る照明装置では、ランプシェードは、形成する素材を釉薬を施さない陶磁器とし、前述のような工程で製造されて発光体からの照射光が前記ランプシェードの表面へ漏光すべく構成するようにしている。
陶磁器は、焼成後に白色となる粘土でかつ、周壁の厚みを約３ｍｍ程度に形成しており、さらに、周壁面に深さ約０．５ｍｍ程度の条溝が約１ｍｍ程度の間隔で形成されている。
【００３９】
このような構成とすることにより、ランプシェード自体もほのかに明るくすることができ、鑑賞者に対し、投影光のみならず、ランプシェードの意匠自体も楽しませることができるのである。
【００４０】
具体的な構成としては、例えば、ランプシェードの周壁面に一定間隔で条溝を形成する方法が挙げられる。投光孔からの光を周壁面の条溝で反射させながらランプシェードの外面を沿わせることにより、ランプシェードを明るくすることができる。
【００４１】
また、投光孔は、ランプシェードの略円形状の周壁面に穿設した細長孔と、前記細長孔の両側に穿設した多数の外方に上向きの上り勾配の円孔とより構成するようにしても良い。
【００４２】
このような構成とすることにより、細長孔より透射した透光は、壁面に上下方向に細長く投影することができ、しかも、ピンホール効果により円孔から透射した透光は、フィラメントの形状を投影像として投影することで同複数のフィラメント形状の投影像の集合体よりなる像は、絵画や影絵のような孔雀が羽根を開いたような造形となり壁面や天井面に投影することが可能となる。
【００４３】
以下、本実施形態に係る照明装置について図面を用いて説明する。
【００４４】
図１は照明装置の正面図、図２は図１のＡ−Ａ線断面図、図３は照明装置を示す底面図、図４は照明装置の要部を示す断面図、図５は、単体の投光孔よりの投影を説明する構成図、図６は、２つの投光孔よりの投影を説明する構成図、図７は投光孔の断面図、図８（ａ）は照明装置の要部を示す平面図、図８（ｂ）は図８（ａ）のＢ−Ｂ線断面図である。
【００４５】
照明装置１は、図１及び図２に示すように、ランプシェード２とランプシェード２を載置し発光体３を立設する基台４とより構成している。
【００４６】
ランプシェード２は、中空略球状に形成し、球形状の頂部１０には大径の孔２０を設け、球形状の周壁面１１には略星形状孔２３、略三日月形状孔２４、投光孔２２を多数穿設し、さらに同周壁面１１に条溝３０を等間隔に形成している。この球状の周壁面１１には、上方から中途部に向かって斜めに多数の投光孔２２を密集して穿設し、上方から下方に向かって一定間隔を設けて複数の星形状孔２３や複数の略三日月形状孔２４を散りばめながら穿設して設けている。
【００４７】
そして、このランプシェード２は、図２及び図３に示すように、前述した製造工程により製造された釉薬のない陶磁器とし、底部１２に切欠部２７と、基台４に立設した発光体３を挿入可能な底部開口２８と、脚部となる下面先端が平坦な突起１３とを形成しており、基台４上に立設したランプ３に上方よりランプシェード２を被せることにより、同ランプシェード２の底部開口２８内にランプ３が挿入され、切欠部２７からランプ配線５が引き出されて、さらに上面平坦な突起１３が基台４上面１４に当接されることで、ランプシェード２が基台４上に載置されることとなる。
【００４８】
基台４は、一定厚みの正方形状に形成され、同基台４の上面１４は鏡面加工が施された大理石で構成されている。
【００４９】
このような照明装置では、ランプ３を点灯すると、図４に示すように、同ランプ３より放射状に光を放射しており、この放射状に放射された光Ｌは、ランプシェード２に穿設した投光孔２２、各種形状の星形状孔２３、三日月形状孔２４を透過することで、図１に示すように、周壁面１１上の大小複数の円孔による天の川状の成形部２９と周壁面１１上に一定間隔で離間して散りばめられた複数の星形状孔２３及び複数の三日月形状孔２４による周壁面１１上に点灯する装飾を直視し観賞可能とする効果があり、さらに、各投光孔２２を透過した透光は、周囲の投影面体の例えば床面Ｆ、壁面Ｗ、天井面Ｒに大小複数の円孔からなる天の川状の成形部２９による絵画のような投影像を投影し、一定間隔で離間して散りばめられた複数の星形状孔２３及び複数の三日月形状孔２４による絵画のような投影像を投影することが可能である。すなわち、鑑賞者にとっては、周壁面１１上の複数の投光孔２２、星形状孔２３、三日月形状孔２４を直視したときの明暗と、投光孔２２、星形状孔２３、三日月形状孔２４より周囲の壁面Ｗ等に大小複雑な投影像と同投影像の明暗により幻想的な印象を醸し出す効果がある。
【００５０】
また、周壁面１１に穿設した投光孔２２は、図５に示すように、ランプシェード２の外方に下向きの下り勾配となるように形成した内周面（図７（ａ）参照）を有しており、内周面を備えた投光孔２２から透過した透光は、床面Ｆ等上において投影像１５を投影することができる。すなわち、内周面２１’の断面視における下辺３４と床面Ｆは、角度θ1をなし、また、内周面の断面視における上辺３５と床面Ｆは、角度θ２をなしており、角度θ１と角度θ２は、それぞれ鋭角をなしている。
【００５１】
かかる角を鋭角とすることにより、内周面２１’の断面視下辺３４における延長線上の床面Ｆに投影される透光Ｌ２は高輝度となり、また、内周面２１’の断面視上辺３５における延長線上の床面Ｆに投影される透光Ｌ３は低輝度となることで、ランプシェード２の載置した位置より離れるに連れて投影像１５が拡がり最後にはフェード化する効果がある。すなわち、鑑賞者にとっては、フェード化した投影像によりさらに幻想的な印象を醸し出す効果がある。
【００５２】
さらに、周壁面１１に穿設した投光孔２２は、図６に示すように、同周壁面１１の上下方向の位置において、一定間隔を設けて形成しており、周壁面１１の下方の投光孔２２と周壁面１１の上方の投光孔２２から透過する各透光Ｌ４，Ｌ５が床面上において２つの投影像１５，１５を前後方向で重なり合うように２つの投光孔２２を周壁面１１に穿設している。
【００５３】
従って、周壁面１１に大小複数穿設した投光孔２２より透過する透光は、床面上においてランプシェードの載置位置を基準に前後方向に重なり合いながら装飾性の高い投影像を投影することが可能となる効果がある。
【００５４】
上述した投光孔２２の内周面２１’を外方に向かって下向きの下り勾配に形成する以外に、図７（ｂ）に示すように、投光孔２２の内周面２１’は、下方方向に穿設した外方に向かって拡開状のテーパーに形成してもよい。かかる構成とすることで、ランプ３を点灯した場合、照明装置１の載置位置より下方方向にある周辺の壁面Ｗや床面Ｆに円孔形状の投光孔２２より透光した光Ｌが壁面Ｗに各種形状の投影像１５、すなわちフィラメントの投影像５１が反転して大きく投影することが可能となる効果がある。
【００５５】
図７（ｃ）に示すように、投光孔２２の内周面２１’は、ランプシェード２の内方に向かって拡開状のテーパーに形成してもよい。かかる構成とすることで、ランプ３を点灯した場合、照明装置１の載置位置より水平方向にある周辺の壁面Ｗや床面Ｆに投光孔２２より透光した光Ｌが絞られ短い距離で各種形状の投影像１５として小さく投影することが可能となる効果がある。
【００５６】
ランプシェードの周壁面の曲面位置に応じて図７中の投光孔２２の内周面の構成を組み合わせることでさまざまな形、透光による陰影の投影像を投影することが可能となる。
【００５７】
また、略星形状孔２３や略三日月形状孔２４を透射した光Ｌは、略星形状孔２３や略三日月形状孔２４の像を模様として壁面Ｗなどに投影させ、さらに、投光孔２２より透射した光Ｌは、ピンホール効果により天井面Ｒ、壁面Ｗや床面Ｆにランプ３のフィラメント６の形状の像を反転した模様の投影像として投影させることが可能となる。
【００５８】
さらに、照明装置におけるランプシェードの周壁面１１には、周方向に等間隔の条溝３０を形成している。周壁面１１に形成したＶ字形状の条溝３０は、図８（ｂ）に示すように、ランプシェード２の曲率が大きくなるにつれ、条溝３０の頂角３１の角度αも漸次大きくなるにように形成される。
【００５９】
一方、図８（ａ）に示すように、投光孔２１を透過した光Ｌのうち、Ｖ字形状の条溝３０に沿って進行する回折光Ｌ１は、Ｖ字形状の条溝３０を形成する両斜面３２，３２に反射されながらジグザク状に進行することとなる。
【００６０】
他方、投光孔２１より透過した光Ｌが壁面Ｗや床面Ｆに照射された後、反射した光Ｌ２は、再度、ランプシェード２の周壁面１１に到達し、周壁面１１を照らし出すこととなる。このとき周壁面１１に形成した下方のＶ字形状の条溝３０は、ランプシェードの曲率が大きいほど頂角３１を漸次大きくなるように形成されており、この条溝３０を構成する各斜面３２，３２の面積も下方ほど広くなるため、反射光Ｌ２を広い受光面積で受光可能とする構成としている。
【００６１】
照明装置１の発光体を点灯すると、暗室内において、略球状の周壁面１１に穿設した投光孔２２や略星形状孔２３などから光Ｌが透射されて、同照明装置の周辺にある壁体Ｗ及び同照明装置の載置床面Ｆに、略星形状の投影像や、Ｖ字形状の投影像などの複雑な形状の模様として大きく投影される。さらに、透過した光Ｌうち漏光Ｌ１が、ランプシェード２の周壁面１１のＶ字形状の条溝３０に沿って反射しながら進行することにより、鑑賞者にとって逆光状態にかかわらずランプシェード２の周壁面１１を観賞することが可能となり芸術性を向上する効果がある。
【００６２】
かかるＶ字形状の条溝３０により、逆光状態であっても各反射光Ｌ１，Ｌ２がランプシェード２の周壁面１１を浮き立たせて観賞可能にならしめる。また、上述した基台４の上面１４は、鏡面加工されており、投光孔２１より透射した光Ｌが基台４上面１４で反射されランプシェード２の周壁面１１に形成されたＶ字形状の条溝３０に照射されることにより、周壁面１１を浮き立たせて観賞可能な構成としている。
【００６３】
上述した照明装置１は、ランプシェード２の形状を中空略球形状としたが、以下に説明する他の照明装置４１は、ランプシェード２の形状を先端尖鋭の中空円錐形状とする点が異なるものである。他の照明装置４１の構成においては、照明装置１と同一符号を付して重複説明を省略する。図９は他の照明装置を示す正面図である。図１０は他の照明装置の点灯状態示す斜視図である。
【００６４】
暗室内でランプ３を点灯すると、図１０に示すように、周壁面１１の後面の細長孔２５から透射した光Ｌが周辺の壁面Ｗに上下方向、斜め方向に間延びした細長の光として投影され、また、細長孔２５の両側に穿設した多数の投光孔２２より透射した光Ｌが天井面Ｒや壁面Ｗや床面Ｆにフィラメントの形状によるＶ字状の投影像５１をランプシェードから離間するにつれ重ね合うように徐々に大きく投影することができる。フィラメントの形状の投影像５１の集合体は、絵画のような孔雀が羽根を広げたような造形として観賞することが可能となる。しかも、投光孔２１より透光Ｌ１は、周壁面１１のＶ字形状の条溝３０に光Ｌ１が反射しながら進行し、さらに、天井面Ｒ、壁体Ｗや床面Ｆで乱反射した光Ｌ２はＶ字形状の条溝３０に到達することにより、ランプシェード２の先端尖鋭の中空円錐形状を浮き立たせて、逆光状態においても観賞可能となる。また、略細長孔２５や桜の花びら形状孔２６を透射した光Ｌは、略細長孔２５の投影像５０や桜の花びら形状孔２６の投影像５２を床面Ｆ、壁面Ｗ、天井面Ｒに投影することで、先のフィラメントの投影像５１との相乗効果で絵画のような複雑な投影像を作り出して観賞することができる。
【００６５】
なお、周壁面１１に穿設する孔の形状としては、略星形状孔２３、略三日月形状孔２４、略細長孔２５や桜の花びら形状孔２６に限らず芸術性を醸し出す貫通孔の形状であれば、これらの形状に限定するものではない。
【００６６】
また、投光孔２２は、拡開状のテーパーとすることでピンホール効果によりフィラメント６の形状の虚像を投影できる反面、光量が少ないため虚像の造影が暗くなる。
【００６７】
投光孔２２の径が小さい場合には、ピンホール効果によりランプのフィラメント６の形状が投影面に投影される。例えば、フィラメント６の形状がひし形の場合には、略Ｖ字形状の模様が投影されるが、この孔の径を可変することで、虚像の大きさや明るさを調整することが可能となる。
【００６８】
なお、基台には、大理石を用いたが、人工大理石、無機材、樹脂、金属、ガラス等を用いたものでもよく材質を限定するものではない。
【００６９】
［ガラス粒子つきランプシェード］
上述したように本発明では、陶磁器の周壁に多数の投光孔２２や細長孔２５や花びら形状孔２６やＶ字形状の条溝３０等を形成し、陶磁器内部の発光体３からランプシェード２周辺に配した投影面体に発光体３の光源に類する光影像を投影するものである。
しかも、本発明では、かかるランプシェード２の投影像形成技術に加えて、ガラス粒子、例えば、スワロフスキー粒子をランプシェード２の周壁に埋没或いは貼着したことに大きな特徴を有する。
【００７０】
すなわち、ランプシェード２の中空器体の周壁面にかかるスワロフスキー粒子のようなガラス粒子を埋没、貼着することにより、中空器体に配設した発光体３の光源形状、例えば、フィラメントの形状の光影像がガラス粒子を透光する際に縮尺した多数の影光像を近辺の投影面体に投影するということを発明者は発見した。
【００７１】
発明者は、かかるガラス粒子の乱反射機能が単なる光反射機構だけではなく近辺に配した投影面体に投影した際に、発光体３の光源の形が多数の投光孔等からの投影像と同形でかつ小さな縮尺像として、しかも、ガラス粒子のカット面の数だけ多数投影されるということを発見した。
【００７２】
従って、投影面体に投影される造形投影像は、投光孔等からの基本的な大きさの映像に加えて、その映像近辺にはそれと同形にもかかわらず縮尺された多数の光の映像が投影されることになる。
【００７３】
かかる光映像は、従来のランプシェード２からの単純な投影像と比較し、複雑でバリエーションに富んだ芸術的な投影光を形成することができる。
以下、ガラス粒子を配した釉薬を施さない陶磁器製のランプシェードについて詳細に説明する。
【００７４】
図１１に示すように、上記のように構成した釉薬を施さない陶磁器製のランプシェードにおいて周壁１１には多数の凹部７を形成して、その凹部７内にガラス粒子８を埋設している。一部の凹部７の底部は、ランプシェード２内部に貫通している。また、底面９には、外部方向から内部方向に漏斗形状に構成されている。
【００７５】
ガラス粒子８は、多角形状に形成され、底部を備えており、底部の面８ｂから入射した光Ｌを前面８ａの多角面から放射可能な透明材質としている。また、ガラス粒子８は透明なものや赤色、青色、黄色、緑色等の多数の色彩からなる。このような色彩を施したガラス粒子８を用いることにより光源の光に着色して更なる光のオブジェのバリエーションを形成することができる。
【００７６】
ガラス粒子８は、透明なスワロスキー粒子のものがよく、または、透明な透光性ビーズやダイヤモンド粒子等であってもよい。例えば、透明なスワロスキー粒子８を用いることにより、光源や外からの光の拡散が一段と向上して、ガラス粒子８のカットが複雑な分乱光機能が向上して乱光輝度を目立つように拡大することができる。
【００７７】
図１１及び図１２に示すように、スワロスキー粒子８は、４１面体の多角形状の構造を有しており、クラウン部、ガードル部、パビリオン部からなる。また、スワロスキー粒子の材質は、ガラスに酸化鉛を２４％以上含有し、透明度が高く、屈折率１．５２以上である。
【００７８】
クラウン部８ｃは、平面視略８角形のテーブル８ｆと２等辺三角形のスターファセット８ｇと上部メインファセット８ｈとからなり、スターファセット８ｇが８面形成され、上部メインファセット８ｈが８面形成される。
【００７９】
ガードル部８ｄは、クラウン部８ｃとパビリオン部８ｅとの境部分である。
【００８０】
パビリオン部８ｅは、２等辺三角形の下部ガードルファセット８ｉと下部メインファセット８ｊとからなり、下部ガードルファセット８ｉが８面形成され、下部メインファセット８ｊが１６面形成される。
【００８１】
スワロフスキー粒子８のパビリオン部８ｅから光源の光が入射する場合について説明する。１つの光源の光が８個の各下部ガードルファセット８ｉと１６個の各下部メインファセット８ｊにそれぞれ入射し、スワロフスキー粒子８内を反射して、クラウン部８ｃの８個の各スターファセット８ｇと８個の各上部メインファセット８ｈからそれぞれ放射され、図１４に示すように幅が細い縮尺形状のＶ字形状の大小の投影像６１，６２を交互に仮想円Ｃ上に並べつつ、周囲の投影面体に投影している。
【００８２】
ランプシェード２の外表面には、天の川や花をイメージした多数の凹部７を形成しており、これら凹部７には多角形状のガラス粒子８の底部周縁が埋設している。この凹部７の内底面は、ランプシェード２の内部と貫通してもよいし、或いは、貫通せずに薄膜を設けたものでもよい。このような各種類の凹部７にガラス粒子を設けた形態について、より具体的に以下の図１５から図１７を用いながら説明する。
【００８３】
図１５に示すように、ガラス粒子８は、ランプシェード２の凹部７内、すなわち、ランプシェード２の周壁１１の厚みの間に埋設している。凹部７の内周面２１’はランプシェード２の内側から外側に向けて拡開状のテーパーに形成している。
【００８４】
凹部７の内底部は、ランプシェード２内に貫通しており、光源の光は透明なガラス粒子８の底面からガラス粒子内に入射し、入射した光の一部は凹部内周面によって反射されて、これらの光がガラス粒子８の前面側の各カット面から各方向に乱放射されて、ランプシェード２の側方の投影面体、例えば、壁面Ｗや床面ＦにＶ字形状の投影像６１，６２を投影することができる。
【００８５】
多角形状のガラス粒子８のカット面から放射して投影面体に結像するＶ字形状の投影像６１，６２は、投光孔２２から直接放射して投影面体に結像するＶ字形状の投影像より線の幅が細い縮尺形状のものとなる。また、線の幅が細い投影像６１，６２は、ガラス粒子８の前面側の各カット面から放射されるため、側方の投影面体に複数の縮尺投影像を一度に多数投影することができる。すなわち、１つの投光孔２２から投影する像は１つであったが、ガラス粒子８を透過してカット面から投影する像は、カット面の数だけ複数となり、しかも、投光孔２２からの投影像の縮尺像となり、より幻想的な投影像を醸し出すことができる。
【００８６】
図１１に示すように、ガラス粒子８がランプシェード２の凹部７の内底面を貫通して、ランプシェード２の内壁面より内側に突出した態様としている。光源からの光がランプシェード２の内壁面より内側に突出したガラス粒子８のパビリオン部８ｅの各カット面から入射して、その内部を乱反射した光はガラス粒子８の前面側のクラウン部８ｃの各カット面から放射され、ダイヤモンドのような輝きを放つとともに、ランプシェード２の側方の投影面体、例えば、壁面Ｗや床面ＦにＶ字形状の投影像６１，６２を投影することができる。
【００８７】
ガラス粒子８にスワロフスキー粒子８を凹部７に貼着した場合には、スワロフスキー粒子８のパビリオン部８ｅがランプシェード２の内壁面より内側に突出した態様となる。光源からの光がパビリオン部８ｅの各下部メインファセット８ｊに入射したのちクラウン部８ｃの各スターファセット８ｇと各上部メインファセット８ｈから放射され、幅が細い縮尺形状のＶ字形状を仮想円Ｃ（図１４参照）上に並べつつ、周囲の投影面体に投影している。ランプシェード２が投影面体から大きく離間すると仮想円Ｃの径は大きくなり、幅が細い縮尺形状のＶ字形状の像が大きく投影されることとなる。幅が細い縮尺形状のＶ字形状の投影像のうち８個は、輝度も明るく鮮明に投影され、その他の像の８個は、スワロフスキー粒子８の分光機能によって、輝度も暗くかつ虹色に投影さることとなる。
【００８８】
図１６に示すように、ランプシェード２の凹部７の底面は、貫通しておらず、約１ｍｍ程度の厚みの薄膜７ａを形成している。凹部７の薄膜７ａに浸透性の高い樹脂１６を含浸させてガラス粒子８を接着している。この樹脂１６が膜の微小孔に含浸して、硬化する際に膜に微細なクラック１７を発生させる。クラック１７により薄膜７ａは、ランプシェード２の内側と部分的に貫通した状態となる。
光源からの光は、微小クラック１７を透過してガラス粒子８のパビリオン部８ｅより入射し、ガラス粒子の内部で乱反射した光がクラウン部８ｃのカット面から放射され、弱い輝きを放つこととなる。
【００８９】
図１７に示すように、ランプシェード２の凹部７に近接する周辺位置、例えば、３ｍｍ程度の位置にガラス粒子８の下半分を埋没させる。すなわち、凹部７の底面は、貫通しておらず、薄膜７ａを残している。凹部７の薄膜７ａに浸透性の高い樹脂１６を含浸させてガラス粒子８を接着している。
光源からの光は投光孔２２から透過して近接したガラス粒子８のクラウン部８ｃの一部のカット面より入射して乱反射したのち、テーブル８ｆから放射され、弱い輝きを放つこととなる。
【００９０】
また、三日月形状の貫通した孔に近接した位置に凹部を複数設けて、複数の凹部７にガラス粒子８をそれぞれ埋没するようにしてもよい。このように大きな三日月形状孔２４の近辺に複数のガラス粒子８を設けることにより、光源からの光が三日月形状孔２４より透光して、ガラス粒子８のクラウン部８ｃの一カット面より入射し、ガラス粒子８内で反射してガラス粒子８のクラウン部８ｃの他のカット面から放射される。投光孔２２に比べて三日月形状孔２４から透光が多いために孔の周囲に設けた複数のガラス粒子８に強い透光が入射することとなる。各ガラス粒子８が投光孔２２の周囲に配したガラス粒子８に比べて明るく輝きを放つこととなり幻想的な雰囲気を醸し出すこととなる。
【００９１】
さらに、貫通した凹部に設けたガラス粒子では、光源からの光がガラス粒子の底面から入射し、ガラス粒子の内部を乱反射した光はガラス粒子の前面側の各カット面から放射され、ダイヤモンドのような輝きを放つとともに、ランプシェードの側方の投影面体、例えば、壁面Ｗや床面ＦにＶ字形状の投影像６１，６２を投影することができる。
【００９２】
［ガラス粒子の他の例］
図１８に示すガラス粒子８’は、通常のガードル部を除いた８角形のテーブル８’ｆと略台形のスターファセット８’ｇと二等辺三角形の上部メインファセット８’ｈと反射鏡８’ｘとからなり、スターファセット８’ｇや上部メインファセット８’ｈがそれぞれ８面形成されている。
【００９３】
図１９に示すように、ガラス粒子８’をランプシェード２の投光孔２２に近接させて貼り付けると、光源の光が投光孔２２より透光して、その光の一部が条溝３０内を反射してガラス粒子８’のカット面に入射するとともに、投光孔２２より透光した光がガラス粒子８’のカット面に直接入射することとなる。ガラス粒子に入射したこれらの光が反射鏡８’ｘにより反射されて、ガラス粒子８’のカット面より放射されて、弱い輝きを放ち、鑑賞者に美感を生起させることとなる。
【００９４】
上述したスワロフスキー粒子を凹部に貼着したランプシェードが図２０及び図２１となる。すなわち、図２０は、スワロフスキー粒子を凹部に貼着したランプシェードの正面図であり、図２１はランプシャードの背面図である。
【００９５】
このランプシェード２の背面側から放射した光が図２２に示す投影面体としての壁面Ｗや床面Ｆに投影されることとなる。
【００９６】
図２１中のスワロフスキー粒子８のクラウン部８ｃのカット面から放射した光が、図２２中の投影面体の壁面Ｗにおける右側上方面に、幅が細い縮尺形状のＶ字形状の像６１，６２を仮想円の縁に沿って等間隔にそれぞれ投影される。ランプシェード２の投光孔２２や凹部７に貼着したスワロフスキー粒子８から放射する光が投影面体に折り重なるように複雑に投影されることにより、美しい映像を醸し出すとともに、ランプシェード２の正面の投光孔２２からの光や凹部７に貼着したスワロフスキー粒子８から放射する光が鑑賞者に美感を生起されることとなる。
【００９７】
このように各ガラス粒子から放射する光の強さが異なることで、鑑賞者に光の錯覚の楽しさを倍増させることができる。また、光源からの強い光が入射するガラス粒子では、ガラス粒子内で反射した光が各カット面からそれぞれ放射され、光源のＶ字形状のフィラメント形態に類似した投影像を微小な形態で側方に配した投影面体としての壁面、床面、天井面等に投影することができる。
【００９８】
光源にＬＥＤ光源を使用した場合には、凹部に貼着したスワロフスキー粒子の各カット面から放射する光が投影面体に光の点としてそれぞれ投影されることとなる。この投影面体の光の点の大きさは、投光孔から出射した光が投影面体に投影された光の円より小さいものとなる。また、光の点の明るさも光の円よりも若干暗いものとなる。
【００９９】
また、ＬＥＤ光源は、赤色（Ｒ）のＬＥＤ素子、緑色（Ｇ）のＬＥＤ素子、青色（Ｂ）のＬＥＤ素子からなるＲＧＢのＬＥＤ光源としてもよい。３色のＬＥＤ光源を点灯した場合のランプシェードからの光の動向について詳説する。
【０１００】
３色のＬＥＤ光源からの光は投光孔２２から透過して投影面体に照射される。
また、図１１に示す投光孔２２に埋め込んだガラス粒子８ではそのパビリオン部８ｅにＬＥＤ光源からのＲの光、Ｇの光、Ｂの光が入射する。特に、下部メインファセット８ｊの各面にＲの光、Ｇの光、Ｂの光の何れかの光が入射することによりクラウン部８ｃの各面から出射する光もＲの光、Ｇの光、Ｂの光の何れか１色の光となり、鑑賞者は下部メインファセット８ｊの面ごとに異なる色として視認することができる。さらに、クラウン部８ｃの各面から出射した光とその他のガラス粒子８から出射した光は投影面体において丁重して、ＲＧＢ以外の色彩、例えば、白色光となって視認することができる。
【０１０１】
さらに、図１６に示す凹部７に埋設したガラス粒子では凹部底の薄膜７ａのクラック１７から漏れるＬＥＤの光がガラス粒子８に入射して、ガラス粒子８を弱く輝かす。
さらにまた、図１７に示す投光孔２２に近接して埋設したガラス粒子８では、投光孔２２からのＬＥＤ光がガラス粒子８に斜めから入射して、特に後述するランプシェードの色彩の影響を受けて、輝くこととなる。
【０１０２】
すなわち、本照明装置の各種の光は図３０に示す以下の（１）から（６）の光と複雑に組み合わされてランプシェードの周壁を照らしたり、ガラス粒子を輝かしたり、投影面体を照射することなる。
（１）ＬＥＤ光源のＲＧＢ色の光が投光孔から透過する光ｘ１。
（２）ＬＥＤ光源のＲＧＢ色の光とランプシェードの色彩と組み合されて投光孔から透過する光ｘ２。
（３）ＬＥＤ光源のＲＧＢ色の光が投光孔に埋設したガラス粒子に入射してその後出射する光ｙ１。
（４）ＬＥＤ光源のＲＧＢ色の光がランプシェードの色彩と組み合され、ガラス粒子に入射してその後出射する光ｙ２。
（５）ＬＥＤ光源のＲＧＢ色の光が投光孔に近接した凹部のガラス粒子に入射してその後出射する光ｙ３。
（６）ガラス粒子に色彩を施し、上記（３）から（５）の構成において、色彩付きのガラス粒子から出射する光。
【０１０３】
また、色彩を施したガラス粒子を用いる際に、ガラス粒子の色彩に合わせてランプシェード自体に色彩を施すようにしてもよい。
【０１０４】
すなわち、図２３から図２５に示すように、ランプシェード２’の素材の粘土に顔料を混ぜて色彩を施すようにしている。例えば、ピンク色の顔料を粘土に混ぜて、ピンク色のランプシェード２’を形成し、ランプシェード２’の周壁１１に形成した凹部７にピンク色のガラス粒子８を埋没、貼着する。
特に、ランプシェード２’の凹部７底部の厚みは、薄く形成し、中空内の発光体３の光を透かすことができる程度の厚みに形成する。このように凹部７底部の厚みを薄くすることで凹部底部から漏れる光の透光率を向上させて、透かしを構成することができる。
【０１０５】
さらに、凹部７にガラス粒子８を貼着することで、発光体を点灯した際に、凹部７底部から弱い光が漏れて、その光がガラス粒子８の底面から入射して、前面８ａの多角面から放射される。この多角面から放射されたピンク色の光の一部が十字形状の凹部７に沿って進みことで、鑑賞者は十字形状の光として視認することができる。
【０１０６】
図２７から図２９に示すように、ランプシェード２’の表面に深い条溝３０を形成し、深い条溝３０の底部を薄くて透かしを形成するようにしてもよい。
すなわち、深い条溝３０に近接した箇所に投光孔２２を穿設し、深い条溝３０にガラス粒子８を埋設、貼着する。
【０１０７】
深い条溝３０にガラス粒子８を貼着し、発光体を点灯した際に、深い条溝３０底部から弱い光が漏れて、さらに近接した投光孔２２から出射した光がガラス粒子８の底面および側面から入射して、前面８ａの多角面から色彩光として放射される。
【０１０８】
ランプシェード２’周壁１１の色彩とガラス粒子８の色彩とガラス粒子８からの投影像が組み合わされて、それぞれの色彩と各光により幻想的な雰囲気を醸し出すことができる。
【０１０９】
上述した実施例では、釉薬を施さない陶磁器でランプシェードを形成した例を挙げたが、顔料を混ぜた釉薬を用いて、陶磁器のランプシェードを釉薬に漬けて色彩を施すようにしてもよい。
【０１１０】
すなわち、図２６に示すように、ランプシェードの表面に凹部７を形成し、凹部７底部の厚みを薄くて透かしを形成する。その後、ランプシェードを素焼きして、例えばピンク色の顔料を混ぜた釉薬に素焼きのランプシェードを漬ける。
【０１１１】
ランプシェード２’’表面の凹部７には、釉薬１８のたまり１８ａが形成され、釉薬１８が厚く塗られた箇所と薄く塗られた箇所が形成される。その後、ランプシェードを焼成すると釉薬たまり１８ａの箇所とそれ以外の箇所では色彩に濃淡が異なって現われる。
【０１１２】
凹部７の底部にピンク色のガラス粒子８を埋没、貼着する。例えば、ピンク色の濃淡のランプシェード２’’周壁１１にピンク色のガラス粒子８を貼着し、中空器内の発光体を点灯すると、ピンク色の濃い凹部７に貼着したガラス粒子８は深いピンク色となり、深いピンク色の光を乱反射し、他方のピンク色の薄い周壁に貼着したガラス粒子８は薄いピンク色となり、淡いピンク色の光を乱反射する。このように各ガラス粒子８が生起する濃淡光により、ランプシェード２’’周壁１１や投影面体に色彩のグラデーションが形成される。さらに、この色彩のグラデーション効果とガラス粒子からの投影像が組み合わされて幻想的な雰囲気を醸し出すことができる。
【０１１３】
なお、ランプシェードとガラス粒子の色彩は同一色である必要はなく、例えば、ピンク色のランプシェードにピンク色、青色、緑色等の複数種類のガラス粒子を埋没、貼着するようにしてもよい。このような複数色のガラス粒子を使用することで、光のオブジェのバリエーションを適宜変更することができる効果がある。
【０１１４】
なお、ランプシェードの透かしは、ランプシェード周壁の投光孔に釉薬の膜を形成し、投光孔に膜が張ったまま焼成したものであってもよい。
【０１１５】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【０１１６】
１  照明装置
２  ランプシェード
３  ランプ
４  基台
５  ランプ配線
６  フィラメント
７  凹部
８  ガラス粒子
８ａ  前面
８ｂ  底部
８ｃ  クラウン部
８ｄ  ガードル部
８ｅ  パビリオン部
８ｆ  テーブル
８ｇ  スターファセット
８ｈ  上部メインファセット
８ｉ  下部ガードルファセット
８ｊ  下部メインファセット
９  底面
１０  頂部
１１  周壁面
１２  底部
１３  突起
１４  上面
１５  投影像
１６  樹脂
１７  クラック
２０  孔
２１’  内周面
２２  投光孔
２３  星形状孔
２４  三日月形状孔
２５  細長孔
２６  花びら形状孔
２７  切欠部
２８  底部開口
２９  成形部
３０  条溝
３１  頂角
３２  斜面
３４  下辺
３５  上辺
６１  投影像
６２  投影像
【図１】
2016021388.tif 000003
【図２】
2016021388.tif 000004
【図３】
2016021388.tif 000005
【図４】
2016021388.tif 000006
【図５】
2016021388.tif 000007
【図６】
2016021388.tif 000008
【図７】
2016021388.tif 000009
【図８】
2016021388.tif 000010
【図９】
2016021388.tif 000011
【図１０】
2016021388.tif 000012
【図１１】
2016021388.tif 000013
【図１２】
2016021388.tif 000014
【図１３】
2016021388.tif 000015
【図１４】
2016021388.tif 000016
【図１５】
2016021388.tif 000017
【図１６】
2016021388.tif 000018
【図１７】
2016021388.tif 000019
【図１８】
2016021388.tif 000020
【図１９】
2016021388.tif 000021
【図２０】
2016021388.tif 000022
【図２１】
2016021388.tif 000023
【図２２】
2016021388.tif 000024
【図２３】
2016021388.tif 000025
【図２４】
2016021388.tif 000026
【図２５】
2016021388.tif 000027
【図２６】
2016021388.tif 000028
【図２７】
2016021388.tif 000029
【図２８】
2016021388.tif 000030
【図２９】
2016021388.tif 000031
【図３０】
2016021388.tif 000032